(57)【要約】【課題】一体成型される反射ミラーモジュールを提供する。【解決手段】投影システムに用いられる反射ミラーモジュールは、バース台、サポート台、回転軸ユニット及び少なくとも一つの駆動デバイスを含む。ベース台は基準面を有し、サポート台はベース台に設置され、且つ反射面を有し、回転軸ユニットは、サポート台の側辺に設けられ、またサポート台及びベース台と接続され、駆動デバイスはサポート台の底面に設置され、回転軸ユニットに対して反射面を揺動させる。【選択図】図７
2007025637.tif 000002
【特許請求の範囲】
【請求項１】
投影システムに用いられる反射ミラーモジュールであって、
ベース台と、
前記ベース台に設けられ、反射面を有するサポート台と、
前記サポート台の側辺に設けたれ、前記サポート台及び前記ベース台と接続される回転軸ユニットと、
前記サポート台の底面に設けられ、前記回転軸ユニットに対して前記反射面を揺動させる少なくとも一つの駆動デバイスと、
を有する、
反射ミラーモジュール。
【請求項２】
前記ベース台は基準面を有し、当該基準面は前記反射面と平行する、
請求項１に記載の反射ミラーモジュール。
【請求項３】
前記駆動デバイスは、ボイス・コイル・モーターまたは圧電セラミックである、
請求項１に記載の反射ミラーモジュール。
【請求項４】
前記反射面は反射ミラーからなる、
請求項１に記載の反射ミラーモジュール。
【請求項５】
前記ベース台、前記サポート台及び前記回転軸ユニットは、一体成型により形成される、
請求項１に記載の反射ミラーモジュール。
【請求項６】
前記ベース台、前記サポート台及び前記回転軸ユニットの材料は、金属材料である、
請求項１に記載の反射ミラーモジュール。
【請求項７】
前記金属材料は、アルミ合金またはマグネシウム合金である、
請求項６に記載の反射ミラーモジュール。
【請求項８】
前記ベース台、前記サポート台及び前記回転軸ユニットの材料は、プラスチック材料である、
請求項１に記載の反射ミラーモジュール。
【請求項９】
前記ベース台はさらに蓋を含み、当該蓋は前記駆動デバイスを固定する、
請求項１に記載の反射ミラーモジュール。
【請求項１０】
前記回転軸ユニットと前記サポート台の共振周波数は、１００〜２０００Hzである、
請求項１に記載の反射ミラーモジュール。
【請求項１１】
前記反射面は、前記回転軸ユニットに対して揺動する、
請求項１に記載の反射ミラーモジュール。
【発明の詳細な説明】
【技術分野】
【０００１】
本発明は、反射ミラーモジュールに関し、特に、一体成型される反射ミラーモジュールに関する。
【背景技術】
【０００２】
図１は、従来の投影装置により投影されたピクセル化（Pixelation）の映像を示す図である。図１に示すように、従来の投影装置により投影された映像には、通常、ピクセル化の問題が存在し、映像のピクセルがよく見え、映像のエッジが鋸歯状になるので、映像の品質に影響を与える。図２は、映像の品質を向上するための従来の反射ミラーを示す図であり、図３は、図２に示されている従来の反射ミラーにより改善された映像を示す図である。図２と図３に示すように、映像の品質を向上する方法は、一般的に、反射ミラー１１（通常、L型のレンズに設けられる）を小幅で迅速に揺動させることで、反射ミラー１１により反射された投影光束を迅速にシフトさせることである。即ち、残像効果を活用して映像におけるピクセルの可視度を低くすることで、映像のエッジを平滑にさせ、映像の品質を向上する目的を実現する。
【０００３】
図４は、従来の反射ミラーモジュールの上面図である。図５は、図４の反射ミラーモジュールの側面図である。図６は、従来の他の反射ミラーモジュールの側面図である。図４と図５に示すように、従来の反射ミラーモジュールは、一般的に、反射ミラー１２、サポート台１３、駆動デバイス１４及びベース台１５を含む。反射ミラー１２は、サポート台１３に設けられ、サポート台１３はベース台１５に固定される。反射ミラー１２は反射面１２１を有し、駆動デバイス１４は、サポート台１３を駆動することによって反射ミラー１２を揺動させる（周波数が約５０〜６０Hzである）。また、図６に示すように、回転軸１６は、一般的に、ベアリング、ヒンジまたは弾性体などを使用し、ベース台１５は、レンズ（例えば、L型レンズ）を組み立てるための基準面１７を有する。
【０００４】
しかし、サポート台１３とバース台１５は異なる部品であるため、加工と組立ての際に生じた累積誤差が大きく、組み立てられた後の反射面１２１と基準面１７の平行度を低下させ、映像の改善効果に影響を与える。また、図６に示すように、回転軸１６は弾性体である場合、反射面１２１と基準面１７の高さが異なるので、組み立てる際に反射面１２１と基準面１７の平行度を制御することも困難である。
【０００５】
また、サポート台１３とバース台１５は異なる部品であるため、組み立てられた後の反射ミラーモジュールの全体の誤差が基準値内と要求される場合、各々の部品に対する誤差の要求も厳しいので、加工が難く、コストが高くなり、また、組立てと調整などの作業が複雑であるため、組み立てられた後の反射ミラーモジュールの信頼性が低くなる。
【発明の開示】
【発明が解決しようとする課題】
【０００６】
本発明の目的は、一体成型される反射ミラーモジュールを提供することにある。
【０００７】
本発明の他の目的は、生産コストの低い反射ミラーモジュールを提供することにある。
【０００８】
本発明の他の目的は、信頼性の高い反射ミラーモジュールを提供することにある。
【課題を解決するための手段】
【０００９】
前述の目的を達成するために、投影システムに使用される本発明の反射ミラーモジュールは、ベース台、サポート台、回転軸ユニット、及び、少なくとも一つの駆動デバイスを含む。ベース台は、基準面を有し、サポート台は、ベース台に設けられ、かつ反射面を有する。回転軸ユニットは、サポート台の側辺に設けられ、またサポート台及びベース台と接続される。駆動デバイスは、回転軸ユニットに対して反射面を揺動することができるようにサポート台の底面に設けられる。
【発明の効果】
【００１０】
本発明は、一体成型される反射ミラーモジュールを提供する。
【発明を実施するための最良の形態】
【００１１】
次に、添付した図面を参照しながら、本発明の好適な実施形態を詳細に説明する。
【００１２】
図７は、本発明の好適な実施形態に係る反射ミラーモジュールの上面図である。図８は、図７の反射ミラーモジュールの側面図である。図７と図８に示すように、投影システム（図示せず）に用いられる反射ミラーモジュールは、ベース台２、サポート台３、回転軸ユニット４及び少なくとも一つの駆動デバイス５を含む。
【００１３】
ベース台２は、本体２１と蓋２２を有し、本体２１は、収納空間２３を生成するように矩形の囲み壁に形成され、蓋２２は、本体２１の下方に設置され、本体２１の上表面は、レンズ（図示せず）を組み立てるための基準面２４である。
【００１４】
サポート台３は、収納空間２３内に設けられ、凹面を有する矩形体であり、当該凹面には、反射ミラーが設置され、この反射ミラーの鏡面は反射面３１である。反射面３１は、基準面２４と平行（同一水平面に位置する）するが、本発明はこれに限定されない。
【００１５】
回転軸ユニット４は、サポート台３の側辺の中央位置に設けられ、かつ、サポート台３及び本体２１と接続される。好ましくは、サポート台３は、回転軸ユニット４に対して対称に設置され、回転軸ユニット４は、ヒンジであっても良い。
【００１６】
駆動デバイス５は、収納空間２３に設置され、一端がサポート台２の底部の中央位置から少し離れる所に接続され、他の端が蓋２２に固定される。駆動デバイス５は、ボイス・コイル・モーターまたは圧電セラミックであってもよく、サポート台３を駆動し、回転軸（例えば、ヒンジ）に対してサポート台３を揺動させることにより、反射面３１を揺動させ、迅速な往復シフト効果を生成する。即ち、残像効果を活用して映像におけるピクセルの可視度を低くすることにより、映像の品質を向上する目的を実現する。また、駆動デバイス５は、一つのみに限定せず、実際の要求に応じて複数使用されても良い。
【００１７】
なお、ベース台２、サポート台３及び回転軸ユニット４は同じ材料からなり、この材料は、金属材料、例えば、アルミ合金やマグネシウム合金であってもよく、または、プラスチック材料であっても良い。バース台２、サポート台３及び回転軸ユニット４は、プレス加工または射出成型などの加工技術により一体成型されるので、これらの三者は、一つの部品になり、自己整合（Self-align）のような効果を有する。即ち、反射面３１と基準面２４は、良い平行度を達成することができる。また、一体成型されたサポート台３及び回転軸ユニット４の構造における共振周波数が１００〜２０００Hzに設計される場合、より良い効果が得られる。
【００１８】
ゆえに、本発明の反射ミラーモジュールは、異なる部品を一体成型で同じ材料の一つの部品に形成することにより、基準面２４と反射面３１の平行度を制御しにくいとの従来の問題を解決でき、且つ、組立てや固定などの作業が要らないので、従来の技術と比べれば、良い安定性と剛性を有するのみならず、良い信頼性も有する。さらに、一体成型の設計は、組立て製造を容易にさせるだけではなく、部品のコストを大幅に削減することもできる。
【００１９】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００２０】
【図１】従来の投影装置により投影されたピクセル化の映像を示す図である。
【図２】映像の品質を向上するための従来の反射ミラーを示す図である。
【図３】図２に示されている従来の反射ミラーにより改善された映像を示す図である。
【図４】従来の反射ミラーモジュールの上面図である。
【図５】図４の反射ミラーモジュールの側面図である。
【図６】従来の他の反射ミラーモジュールの側面図である。
【図７】本発明の好適な実施形態に係る反射ミラーモジュールの上面図である。
【図８】図７の反射ミラーモジュールの側面図である。
【符号の説明】
【００２１】
２  バース台
３  サポート台
４  回転軸ユニット
５  駆動デバイス
２１  本体
２２  蓋
２３  収納空間
２４  基準面
３１  反射面
【図１】
2007025637.tif 000003
【図２】
2007025637.tif 000004
【図３】
2007025637.tif 000005
【図４】
2007025637.tif 000006
【図５】
2007025637.tif 000007
【図６】
2007025637.tif 000008
【図７】
2007025637.tif 000009
【図８】
2007025637.tif 000010